(57)【特許請求の範囲】
【請求項１】
複数種類の運動動作とそれらの運動動作の所定の実行順序とを定める運動リストを記憶する記憶手段と、
前記運動リストに従って複数の参加者の各々がすでに実行した前記複数種類の運動動作について評価結果を取得する評価取得手段と、
前記所定の実行順序に従って、前記運動リストの複数種類の運動動作の表示内容を切り替える運動実行手段と、
前記複数の参加者を特定する情報と、前記運動リストの複数種類の運動動作と、前記評価取得手段により取得される複数の参加者の評価結果とを、表示部に一覧で表示させる表示制御手段と、
前記運動実行手段による運動動作の内容の表示切替と同期して、その運動動作について前記表示部に表示される評価結果が切り替わるように、前記運動実行手段と前記表示制御手段とを同期させる同期制御手段と、
を備える運動支援装置。
【請求項２】
前記評価取得手段は、前記複数の参加者のうち少なくとも１人の参加者が評価した自己評価結果を含む前記評価結果を取得し、
前記表示制御手段は、前記複数の参加者の評価結果のうち、前記自己評価結果が付された前記評価結果が、前記自己評価結果が付されていない前記評価結果よりも、前記表示部において前記運動リストの複数種類の運動動作が表示される運動動作表示領域に近い位置に表示されるように、前記表示部を制御する
ことを特徴とする請求項１に記載の運動支援装置。
【請求項３】
前記同期制御手段は、
前記運動実行手段による運動動作の内容の表示切替と同期して、前記運動実行手段により切り替えられる運動動作について前記自己評価結果が付された前記評価結果であるか否かを判断する判断手段と、
前記自己評価結果が付された前記評価結果であると前記判断手段が判断したときに、前記自己評価結果が付された前記評価結果が、前記自己評価結果が付されていない前記評価結果よりも、前記運動動作表示領域に近い位置に表示されるように、前記表示部の表示態様を設定する設定手段と、を含み、
前記表示制御手段は、前記設定手段による設定に従って、前記表示部を制御する
ことを特徴とする請求項１または２に記載の運動支援装置。
【請求項４】
前記記憶手段により記憶される前記運動リストは、各々が複数の運動動作からなる複数種類の運動と、それらの運動の実行順序とを定め、
前記運動実行手段による運動動作の内容の表示切替と同期して前記表示部に表示される前記評価結果を、前記表示切替される運動動作とは異なる種類の運動の運動動作についての評価結果へ、変更させる指示を検知する検知手段を備え、
前記検知手段により指示が検知されたとき、前記表示制御手段は、前記運動実行手段により表示切替される運動動作より先に表示切替された運動動作であって、前記表示切替される運動動作と同じ種類の運動、または前記表示切替される運動動作の運動の種類より一つ前に表示切替された異なる種類の運動について、前記複数の参加者の運動動作の評価結果を前記表示部に一覧表示する
ことを特徴とする請求項１〜３のいずれかに記載の運動支援装置。
【請求項５】
複数種類の運動動作とそれらの運動動作の所定の実行順序とを定める運動リストを記憶する記憶部を備える運動支援装置のコンピュータに、
前記運動リストに従って複数の参加者の各々がすでに実行した前記複数種類の運動動作について評価結果を取得する評価取得ステップと、
前記所定の実行順序に従って、前記運動リストの複数種類の運動動作の表示内容を切り替える運動実行ステップと、
前記複数の参加者を特定する情報と、前記運動リストの複数種類の運動動作と、前記評価取得ステップにより取得される複数の参加者の評価結果とを、表示部に一覧で表示させる表示制御ステップと、
前記運動実行ステップによる運動動作の内容の表示切替と同期して、その運動動作についての評価結果が切り替わるように、前記運動実行ステップの動作と前記表示制御ステップの動作とを同期させる同期制御ステップと、
を実行させる運動支援プログラム。
【発明の詳細な説明】
【技術分野】
【０００１】
本発明は、フィットネスクラブ等で、複数の参加者が同時に運動を行うときに、インストラクターが複数の参加者について運動評価を同時にかつ容易に行うことができる運動支援装置に関する。詳細には、本発明は、フィットネスクラブ等において、複数の参加者が運動レッスンの一連の運動を同時に行うとき、運動レッスンの進行と同期して、複数の参加者の各運動が評価された評価結果を一覧に表示する運動支援装置および運動支援プログラムに関する。
【背景技術】
【０００２】
従来、運動を行う参加者を支援するシステムがある。例えば、特許文献１では、トレーニング支援システムが開示されている。具体的には、家庭端末により高齢者が自宅でトレーニングを実施した結果が記録される。各家庭端末によりトレーニングが実施された結果は、データベースサーバへ送信され、データベースサーバにおいて、テーブルにより管理される。データベースサーバにより管理されたテーブルは、専門家が使用する病院端末により、閲覧可能である。
【０００３】
ところで、特許文献１に開示されたトレーニング支援システムが、例えば、フィットネスクラブ等において、複数の参加者が同時に運動するときに、インストラクターが運動を指導するために使用される場合を考える。フィットネスクラブにおける運動レッスンでは、複数の運動が所定の順序で連続して実行される。複数の参加者は、運動レッスンの進行に沿って、連続して運動を行う。
【先行技術文献】
【特許文献】
【０００４】
【特許文献１】特開２０１３−６６６７２号公報
【発明の概要】
【発明が解決しようとする課題】
【０００５】
特許文献１に開示されたトレーニング支援システムにおいて、専門家は、病院端末により、データベースサーバにより管理されたテーブルの一覧表示を見ることで、複数の高齢者が自宅でトレーニングを実施した結果を知ることができる。特許文献１のトレーニング支援システムを、フィットネスクラブにおいて、同時に複数の参加者が運動を行う運動レッスンに使用する場合に適用すると、複数の参加者が個別に各家庭で行った運動レッスンの各運動の内容について、専門家であるインストラクターは、データベースサーバにアクセスして専用の端末により見ることができる。しかしながら、フィットネスクラブにおいて運動レッスンの進行に従って参加者が行う運動と、その専用の端末に表示される各運動の内容とが関連付けられていないため、インストラクターは、現在実行されている運動の進行に合わせて、複数の参加者の運動を評価することは困難である。
【０００６】
本発明は、上述した問題点を解決するためになされたものであり、複数の参加者が同時に運動を行う運動レッスンにおいて、運動レッスンの進行に沿って実行される各運動に同期して、複数の参加者が過去に行った運動についての評価を表示させることにより、運動レッスンが実行されるときのインストラクターによる参加者の評価を容易にする運動支援装置および運動支援プログラムを提供することを目的とする。
【課題を解決するための手段】
【０００７】
請求項１記載の運動支援装置は、複数種類の運動動作とそれらの運動動作の所定の実行順序とを定める運動リストを記憶する記憶手段と、前記運動リストに従って複数の参加者の各々がすでに実行した前記複数種類の運動動作について評価結果を取得する評価取得手段と、前記所定の実行順序に従って、前記運動リストの複数種類の運動動作の表示内容を切り替える運動実行手段と、前記複数の参加者を特定する情報と、前記運動リストの複数種類の運動動作と、前記評価取得手段により取得される複数の参加者の評価結果とを、表示部に一覧で表示させる表示制御手段と、前記運動実行手段による運動動作の内容の表示切替と同期して、その運動動作について前記表示部に表示される評価結果が切り替わるように、前記運動実行手段と前記表示制御手段とを同期させる同期制御手段と、を備えることを特徴とする。
【０００８】
請求項２記載の運動支援装置は、前記評価取得手段は、前記複数の参加者のうち少なくとも１人の参加者が評価した自己評価結果を含む前記評価結果を取得し、前記表示制御手段は、前記複数の参加者の評価結果のうち、前記自己評価結果が付された前記評価結果が、前記自己評価結果が付されていない前記評価結果よりも、前記表示部において前記運動リストの複数種類の運動動作が表示される運動動作表示領域に近い位置に表示されるように、前記表示部を制御することを特徴とする。
【０００９】
請求項３記載の運動支援装置は、前記同期制御手段は、前記運動実行手段による運動動作の内容の表示切替と同期して、前記運動実行手段により切り替えられる運動動作について前記自己評価結果が付された前記評価結果であるか否かを判断する判断手段と、前記自己評価結果が付された前記評価結果であると前記判断手段が判断したときに、前記自己評価結果が付された前記評価結果が、前記自己評価結果が付されていない前記評価結果よりも、前記運動動作表示領域に近い位置に表示されるように、前記表示部の表示態様を設定する設定手段と、を含み、前記表示制御手段は、前記設定手段による設定に従って、前記表示部を制御することを特徴とする。
【００１０】
請求項４記載の運動支援装置は、前記記憶手段により記憶される前記運動リストは、各々が複数の運動動作からなる複数種類の運動と、それらの運動の実行順序とを定め、前記運動実行手段による運動動作の内容の表示切替と同期して前記表示部に表示される前記評価結果を、前記表示切替される運動動作とは異なる種類の運動の運動動作についての評価結果へ、変更させる指示を検知する検知手段を備え、前記検知手段により指示が検知されたとき、前記表示制御手段は、前記運動実行手段により表示切替される運動動作より先に表示切替された運動動作であって、前記表示切替される運動動作と同じ種類の運動、または前記表示切替される運動動作の運動の種類より一つ前に表示切替された異なる種類の運動について、前記複数の参加者の運動動作の評価結果を前記表示部に一覧表示することを特徴とする。
【００１１】
請求項５記載の運動支援プログラムは、複数種類の運動動作とそれらの運動動作の所定の実行順序とを定める運動リストを記憶する記憶部を備える運動支援装置のコンピュータに、前記運動リストに従って複数の参加者の各々がすでに実行した前記複数種類の運動動作について評価結果を取得する評価取得ステップと、前記所定の実行順序に従って、前記運動リストの複数種類の運動動作の表示内容を切り替える運動実行ステップと、前記複数の参加者を特定する情報と、前記運動リストの複数種類の運動動作と、前記評価取得ステップにより取得される複数の参加者の評価結果とを、表示部に一覧で表示させる表示制御ステップと、前記運動実行ステップによる運動動作の内容の表示切替と同期して、その運動動作についての評価結果が切り替わるように、前記運動実行ステップの動作と前記表示制御ステップの動作とを同期させる同期制御ステップと、を実行させるプログラムである。
【発明の効果】
【００１２】
請求項１または請求項５記載の発明によれば、前記運動リストの運動動作の実行と同期して、前記実行される運動動作についての前記複数の参加者の評価結果が前記表示部に一覧表示される。これにより、参加者の運動動作を評価するインストラクターは、所定の実行順序に従って表示内容が切り替えられる運動リストの運動動作ごとに、前記運動動作の実行と同期して一覧表示される前記複数の参加者の評価結果を見て、運動リストの運動動作を行う参加者の評価を容易に行うことができる。
【００１３】
請求項２記載の発明によれば、前記運動リストの運動の実行と同期して、前記実行される運動動作についての前記複数の参加者の前記自己評価結果が付された参加者の評価結果が、他の評価結果よりも、運動動作が表示される運動動作表示領域に近い位置に前記表示部に一覧表示される。これにより、例えば、参加者の運動動作を評価するインストラクターが、運動リストの運動動作を同時に行う複数の参加者を、同時に評価しなければならない場合であっても、自己評価結果が表示された参加者に注目し、その参加者の運動動作を特に慎重に評価することができる。
【００１４】
請求項３記載の発明によれば、同期制御手段により、運動実行手段により切り換えられる運動動作について自己評価結果が付された評価結果があると判断されたとき、自己評価結果が付された評価結果は、自己評価結果が付されていない評価結果より、運動動作が表示された運動動作表示領域に近い位置に表示される設定がされ、運動実行手段と表示制御手段とが同期制御される。これにより、運動リストの複数の運動動作のうち、運動実行手段により切り換えられる運動動作ごとに、運動動作表示領域に近い位置に表示させる評価結果が設定されるため、運動リストに従って複数の運動動作が連続して実行される場合であっても、インストラクターは、運動動作ごとに、自己評価結果が表示された参加者に注目し、自己評価結果が付された参加者の運動動作を評価することができる。
【００１５】
請求項４記載の発明によれば、表示部の表示を変更させる指示が検知されたとき、前記運動実行手段により表示切替される運動動作より先に表示切替された運動動作であって、前記表示切替される運動動作と同じ種類の運動、または前記表示切替される運動動作の運動の種類より一つ前に表示切替された異なる種類の運動について、前記複数の参加者の評価結果が表示される。これにより、参加者の運動動作を評価するインストラクターは、表示切替される運動動作より先に表示切替られた運動動作について、参加者の運動動作を評価し忘れた場合、または過去の評価を修正する場合があっても、評価する内容を忘れないうちに、参加者が行った運動動作について評価を容易に行うことができる。
【図面の簡単な説明】
【００１６】
【図１】本発明の一実施形態に係る運動支援システムの全体構成を示す図面である。
【図２】運動指導装置７０の電気的構成を示すブロック図である。
【図３Ａ】本実施形態の運動リストの構成を示す図である。
【図３Ｂ】運動リストに対応する運動画像を示す図である。
【図３Ｃ】評価結果が付加された運動リストを示す図である。
【図４】運動指導装置７０により実行される主制御処理を示すフローチャートである。
【図５】運動指導装置７０の情報入力部７５により実行される副制御処理を示すフローチャートである。
【図６】運動指導装置７０の情報入力部７５の表示入力検出部７５７に表示される複数の運動リストの表示例を示す図である。
【図７Ａ】運動指導装置７０のディスプレイ７３にモーション番号「１−１」の運動画像が表示されるとき、情報入力部７５の表示入力検出部７５７に表示される複数の運動リストの表示例を示す図である。
【図７Ｂ】運動指導装置７０のディスプレイ７３にモーション番号「２−２」の運動画像が表示されるとき、情報入力部７５の表示入力検出部７５７に表示される複数の運動リストの表示例を示す図である。
【図７Ｃ】運動指導装置７０のディスプレイ７３にモーション番号「３−２」の運動画像が表示されるとき、情報入力部７５の表示入力検出部７５７に表示される複数の運動リストの表示例を示す図である。
【図８】運動指導装置７０の情報入力部７５の表示入力検出部７５７により割り込み操作がされたときに表示される複数の運動リストの表示例を示す図である。
【図９】運動指導装置７０の情報入力部７５の表示入力検出部７５７に表示される複数の運動リストに、指導評価が入力されたときの運動リストの表示例を示す図である。
【発明を実施するための形態】
【００１７】
以下、本発明の一実施形態である運動支援システムの運動指導装置について説明する。運動支援システムは、運動記録装置と、サーバと、運動指導装置とを備える。運動記録装置は、運動動作を示す映像をディスプレイに表示させ、スピーカに楽曲を出力させる装置である。運動記録装置は、撮像部により、運動記録装置を利用する参加者の姿勢を取得する。運動指導装置は、運動動作を示す映像を大型のディスプレイに表示させ、スピーカに楽曲を出力させる装置である。運動指導装置は、そのディスプレイとは異なる携帯可能な表示端末を備え、その表示端末の表示部分に、ディスプレイに映像が表示された運動動作を行う参加者の姿勢を評価した結果を表示する。
【００１８】
図１は、本実施形態の運動支援システム１００の構成図である。図１に示すように、運動支援システム１００は、複数の運動記録装置１０と、管理サーバ５０と、複数の運動指導装置７０とから構成される。運動記録装置１０は、例えば、フィットネスクラブで行われる運動レッスンに参加する参加者３００が各個人で練習利用する場所や、参加者３００の自宅に配置される。運動指導装置７０は、例えば、フィットネスクラブにおいて、インストラクター２００が、複数の参加者３００を指導する運動レッスンが行われる場所に配置される。複数の運動記録装置１０と、管理サーバ５０と、複数の運動指導装置７０とは、ネットワークを介して接続される。なお、管理サーバ５０には、後述する運動記録装置１０および運動指導装置７０により実行される運動リストが記憶される。
【００１９】
［運動記録装置１０の構成］
運動記録装置１０は、ＣＰＵと、ＲＡＭと、ＲＯＭと、ネットワーク接続部と、情報受信部と、情報入力部１５とを備える。ＣＰＵは、ＲＡＭ、ＲＯＭなどの記憶手段と共に、運動記録装置１０の全体動作を制御処理するコンピュータを構成する。情報受信部は、情報入力部１５と通信するために備えられる。情報入力部１５により行われる指示が、情報受信部を介して、ＣＰＵへ伝達される。運動記録装置１０は、ネットワーク接続部を介して、管理サーバ５０と通信する。本実施形態では、この通信の間に、参加者３００などが情報入力部１５を操作することにより、管理サーバ５０に保存された運動リストが、ネットワーク接続部を介して運動記録装置１０により取得される。
【００２０】
運動記録装置１０は、スピーカ１２と、大型のディスプレイ１３と、情報入力部１５とを備える。運動記録装置１０は、ディスプレイ１３に運動画像表示指令を送信する。この表示指令に従って、ディスプレイ１３は、運動動作を表す運動画像３１を表示する。ディスプレイ１３は、参加者３００が、運動を行いながら見ることができるように大きな画面を備える。運動記録装置１０は、運動画像表示指令の送信と同期して、スピーカ１２に楽曲出力指令を送信する。この出力指令に従って、スピーカ１２は楽曲を出力する。スピーカ１２から出力される楽曲は、参加者３００が聞くことが出来るＢＧＭとして出力される楽曲である。運動画像３１と楽曲とが同期して出力される運動記録装置１０の構成は、特開２０１１−４８５４６号公報などに記載され、公知であるので、その詳細な説明を省略する。
【００２１】
情報入力部１５は、情報を入力する機能、および入力された情報を表示する機能を備える公知の構成を有する。情報入力部１５は、例えば、タッチパネル式のタブレット型表示端末である。情報入力部１５は、赤外線などにより無線で通信可能である。情報入力部１５は、参加者３００が運動を行う運動リストの指定及び開始を運動記録装置１０のＣＰＵを含む制御部に指示するために、参加者３００により操作可能に構成される。また、情報入力部１５は、運動レッスンにおいて実行する運動が定められた運動リストに従って、参加者３００が行った、運動を自己評価した結果を、運動リストに付与するために操作可能に構成される。運動記録装置１０には、撮像部１７が接続される。撮像部１７は、運動リストに従ってディスプレイ１３に表示される運動画像３１を見て運動する参加者３００の姿勢を撮像する。
【００２２】
運動記録装置１０では、ＣＰＵにより主制御プログラムが実行されると、運動リストに従って運動画像および楽曲が再生される。運動記録装置１０により主制御プログラムが実行されることにより、運動リストに従って、ディスプレイ１３に運動画像が順次切り換えて表示され、各参加者は運動画像を見て運動レッスンを実行することができる。図３Ａは、運動リストのデータ構成の一例を示す図である。運動リストは、参加者３００が実行する運動レッスンを構成する複数種類の運動と、それらの運動の実行順序とを定めるリストである。運動リストの各運動は、複数種類の運動動作を所定の順序で組み合わせた構成である。１つの運動動作は、運動を構成する最小単位の動きを示すものである。すなわち、運動リストは、複数種類の運動動作と、それらの運動動作の実行順序とを定めるリストでもある。運動記録装置１０のＲＡＭには、運動リストの各運動動作に対応付けて、各運動動作を行うときの姿勢を示す運動画像が記憶されている。
【００２３】
運動リストは、運動リストを識別する運動リストＩＤと、運動テンポと、楽曲と、運動の種類を示すエクササイズ名と、運動動作を識別するモーション番号と、運動画像と、画像開始時間とを含む。所定の運動リストに従う運動画像および楽曲の再生が、その運動リストに対応付けられた運動テンポで実行されるように、参加者３００は、運動記録装置１０の情報入力部１５を操作することにより、実行指示を運動記録装置１０の制御部に行う。
【００２４】
図３Ｂは、図３Ａに示す運動リストに対応付けられた運動画像を示す図である。運動画像には、運動リストの運動の種類を表すエクササイズ名と、モーション番号とがそれぞれ対応付けられている。運動リストの各運動画像は、運動動作の正しい姿勢を示す画像である。運動動作には、実行順序に従ってモーション番号が定められている。モーション番号は、運動リストの運動を構成する複数の運動動作が行われる順番を表す。モーション番号と、運動画像と、画像開始時間とはそれぞれ対応付けられている。画像開始時間は、運動画像を切り換えるタイミングを示す時間である。運動記録装置１０により運動リストに従って運動画像の再生が実行されるとき、運動リストのエクササイズ名ごとに、モーション番号に従って複数の運動画像が順次ディスプレイ１３に表示される。運動画像は、画像開始時間に示される画像切換タイミングに従って、切り換えられる。これにより、参加者は、運動画像を見ながら、運動リストに従って運動の運動動作を順次進行させることができる。
【００２５】
運動テンポは、運動リストの運動の各運動動作を実行するときのテンポを表し、運動リストまたは各運動動作に対応して設定される。運動リストの各運動動作が所定の運動テンポで実行されるとき、画像開始時間に定められた時間で、モーション番号が対応付けられた運動画像の表示が順次切り換えられる。
【００２６】
主制御プログラムが実行されると、運動リストに従って運動レッスンを行った参加者３００の姿勢が、撮像部１７により撮像される。撮像された参加者３００の姿勢は、運動リストの運動動作と対応付けられた運動画像に定められた正しい姿勢と比較され、正しい運動がされたか否かが判断される。正しい運動がされたか否かが判断された運動評価が、運動リストの各運動動作に対応付けて記憶される。これにより、運動記録装置１０は、参加者３００の各運動動作を自動的に評価し、その評価結果である運動評価を運動リストの各運動動作に付加して記憶する。
【００２７】
さらに、運動記録装置１０では、運動リストの実行が終了した後、運動評価が付与された運動リストが情報入力部１５に表示される。運動記録装置１０では、参加者３００は、情報入力部１５を用いて、運動リストに従って参加者３００が行った各運動動作について自ら評価した結果である自己評価を入力することができる。具体的には、参加者３００は、情報入力部１５に表示される運動リストの各運動動作を行うときの姿勢を表す運動画像にタッチすることにより、自己評価を入力する。入力された自己評価は、運動リストの各運動動作に対応付けて、ＲＡＭに記憶される。自己評価は、例えば、運動リストの複数の運動動作のうち、参加者３００が正しい姿勢で運動ができなかったと自己評価した運動動作について入力され、運動動作に対応付けて運動リストに付加されてＲＡＭに記憶される。
【００２８】
図３Ｃに、運動評価と、自己評価とが付加された運動リストの一例を示す。運動評価は、例えば、運動記録装置１０により運動リストに従って運動レッスンが実行されるとき、運動リストの運動動作と対応する運動画像に定められた正しい姿勢と、撮像部１７により撮像された参加者３００の姿勢とが一致していると判断されるとき、この判断された運動画像と対応する運動動作と対応付けて、「○」が運動評価として運動リストに付加される。運動画像に定められた正しい姿勢と、参加者３００の姿勢とが一致していると判断されないとき、この判断された運動画像と対応する運動動作と対応付けて、「△」が運動評価として運動リストに付加される。
【００２９】
また、運動リストに運動評価が付加されると、運動リストと、運動リストに付加された運動評価とが情報入力部１５に表示される。参加者３００は、運動リストの運動を実行した後に、情報入力部１５に表示される運動リストと、運動評価とを見て、運動リストの複数の運動動作のうち、正しい姿勢で運動を行うことができなかったと自ら判断した運動動作について、参加者３００は、情報入力部１５を操作して自己評価を付加することができる。具体的には、参加者３００は、正しい姿勢で運動を行うことができなかったと判断した運動動作のモーション番号には、自己評価として、「レ」を付加する。運動評価と、自己評価とが付加された運動リストには、図３Ｃに示すように、運動評価と自己評価とを基に定められる総合評価が付加される。総合評価は、白塗り記号「○」または「△」の運動評価が付加された運動動作に対し、自己評価「レ」が付加されたとき、運動評価の記号を黒塗り記号にした「●」または「▲」が総合評価として付加される。評価が付加された運動リストは、参加者３００のユーザＩＤと、運動リストＩＤとを対応付けて、管理サーバ５０へ送信される。
【００３０】
運動記録装置１０により自動的に実行される運動評価と、参加者３００により入力される自己評価とが付加された運動リストは、参加者３００を識別するためのユーザＩＤと、運動リストを識別するための運動リストＩＤとを対応付けて、運動記録装置１０から管理サーバ５０へ送信される。管理サーバ５０では、運動記録装置１０から送信された評価が付与された運動リストが、ユーザＩＤと、運動リストＩＤとを対応付けて記憶される。
【００３１】
［運動指導装置７０の構成］
図１は、運動指導装置７０の全体構成を示す。運動指導装置７０は、携帯可能な情報入力部７５を備える。運動指導装置７０のＣＰＵを含む制御部は、赤外線などにより無線で情報入力部７５と通信可能である。運動指導装置７０は、大型のディスプレイ７３に運動画像表示指令を送信する。この表示指令に従って、ディスプレイ７３は、運動の動作を表す運動画像３１を表示する。また、この表示指令に従って、情報入力部７５は、ディスプレイ７３に表示される運動画像３１と同期して、運動リストに従って、表示されている運動画像３１の運動動作について、参加者３００の評価を表示する。また、この表示指令に従って、スピーカ７２は楽曲を出力する。情報入力部７５は、例えば、タッチパネル式のタブレット型端末である。本実施形態では、情報入力部７５は、インストラクター２００が、閲覧しながら参加者３００に指導を行うための指導端末として利用される。
【００３２】
運動指導装置７０が配置されるフィットネスクラブでは、インストラクター２００が、情報入力部７５を操作することにより運動リストを指定し、運動指導装置７０のＣＰＵ７０１に主制御プログラムの処理開始を指示することにより、その指定した運動リストに従う運動画像および楽曲の再生が開始される。運動指導装置７０は、情報入力部７５の指示に従って、運動画像３１をディスプレイ７３に表示させ、楽曲をスピーカ７２に出力させる。図１に示すように、運動レッスンに参加する複数の参加者３００は、ディスプレイ７３に表示される運動画像３１を見て運動を行う。
【００３３】
また、インストラクター２００は、情報入力部７５を使用して、フィットネスクラブにおいて運動レッスンに参加する複数の参加者３００について評価が付与された運動リストを、管理サーバ５０へ要求する。この要求に応じて、管理サーバ５０は、複数の参加者３００の自宅等にそれぞれ配置された運動記録装置１０により評価が付与された運動リストを、運動指導装置７０へ送信する。
【００３４】
運動指導装置７０は、フィットネスクラブのインストラクター２００の指示に従って、運動レッスンに参加する複数の参加者３００について運動記録装置１０により評価が付与された運動リストを取得することが可能である。運動指導装置７０は、複数の参加者３００のそれぞれが個人で行った運動について、評価が付与された運動リストを管理サーバ５０から受信する。運動指導装置７０は、管理サーバ５０から受信した運動リストに従って、各運動動作の姿勢を表す運動画像３１をディスプレイ７３に表示する。参加者３００は、表示される運動画像３１を見ながら運動を行う。
【００３５】
[運動指導装置７０の電気的構成]
図２は、運動指導装置７０の電気的構成を示すブロック図である。運動指導装置７０は、ディスプレイ７３と、スピーカ７２と、ＣＰＵ７０１と、ＲＡＭ７０３と、ＲＯＭ７０４と、情報送受信部７０６と、計時部７０７と、ネットワーク接続部７０８とを備える。ＣＰＵ７０１は、運動指導装置７０の全体動作を制御する。ＣＰＵ７０１は、ＲＡＭ７０３、ＲＯＭ７０４などの記憶手段と共に、運動指導装置７０の動作を制御処理するコンピュータを構成する。
【００３６】
ＲＡＭ７０３は、運動リスト記憶領域７０３１と、運動画像記憶領域７０３２と、楽曲記憶領域７０３３とを含む。運動リスト記憶領域７０３１は、後述の運動リストを記憶する。運動画像記憶領域７０３２は、運動リストに従って運動レッスンが実行されるとき、ディスプレイ７３に表示する運動動作の運動画像３１を記憶する。楽曲記憶領域７０３３は、運動リストに従って運動レッスンが実行されるときに再生される楽曲を記憶する。
【００３７】
ＲＯＭ７０４は、主制御プログラム領域を含む。主制御プログラム領域は、運動指導装置７０の全体動作を制御するための主制御プログラムを記憶する。具体的には、主制御プログラムは、図４に示すフローチャートに従う処理を実行し、運動リストに従って、運動画像をディスプレイ７３に表示し、楽曲を出力するプログラムである。
【００３８】
主制御プログラムが実行されると、運動リストに従って複数の運動画像３１がディスプレイ７３に順次切り替えて表示されることにより、参加者は運動レッスンを実行することができる。運動レッスンでは、運動リストの運動を構成する運動動作の運動画像３１が、ディスプレイ７３に表示される。主制御プログラムにより運動リストに従って運動レッスンが行われる前に、先ず、フィットネスクラブで行われる運動レッスンに参加する複数の参加者３００の運動リストが管理サーバ５０から取得される。そして、ディスプレイ７３に運動画像３１が表示されるとともに、ディスプレイ７３に表示された運動画像が示す運動動作について、取得された運動リストに付加された評価結果が情報入力部７５に表示される。
【００３９】
主制御プログラムは、運動リストに従って運動レッスンを実行するために、運動画像をディスプレイ７３に表示し、楽曲を出力するプログラムである。さらに、運動指導装置７０においては、運動レッスンに従って実行される運動リストの運動動作について、情報入力部７５によりインストラクター２００による指導評価が入力される。運動指導装置７０は、入力された指導評価を運動リストに対応付けて、ＲＡＭ７０３の運動リスト記憶領域７０３１に記憶する。
【００４０】
情報入力部７５は、ＣＰＵ７５１と、ＲＡＭ７５３と、ＲＯＭ７５４と、情報送受信部７５６と、表示入力検知部７５７とを備える。ＣＰＵ７５１は、ＲＡＭ７５３と、ＲＯＭ７５４と、情報送受信部７５６とに接続され、ＲＡＭ７５３、ＲＯＭ７５４などの記憶手段と共に、情報入力部１５の動作を制御処理するコンピュータを構成する。ＲＡＭ７５３は、運動リスト記憶領域７５３１を備える。運動リスト記憶領域７５３１には、運動リストが記憶される。ＲＯＭ７５４は、副制御プログラム記憶領域７５４１を備える。副制御プログラム記憶領域７５４１には、ＣＰＵ７５１により実行される副制御プログラムを記憶する。表示入力検知部７５７は、ＲＡＭ７３に記憶される運動リストを表示し、インストラクター２００により入力される操作を検知する機能を有し、例えば、ＬＣＤディスプレイとタッチパネルとを含む。
【００４１】
＜運動指導装置７０の動作の説明＞
次に、上記に説明した構成からなる本実施形態の運動指導装置７０の動作および作用について図４を参照して説明する。また、運動指導装置７０とともに動作する情報入力部７５の動作および作用について図５を参照して説明する。図４は、運動指導装置７０における運動動作の処理手順を示すフローチャートである。運動指導装置７０は、内部電源またはコンセントを介して商用電源などの外部電源と接続されたことにより起動する。そして、運動指導装置７０は、ＣＰＵ７０１が主制御プログラムを実行することにより動作する。
【００４２】
運動指導装置７０は、図４に従って、ステップＳ７００〜ステップＳ７１２の処理の主制御処理を実行する。運動指導装置７０は、電源との接続により起動すると、運動指導装置７０では,電源スイッチがインストラクター２００によりＯＮされたか否かが判断される。電源スイッチがＯＮされたと判断されると、図４に示す主制御処理が実行される。電源スイッチがＯＮされたと判断されるまで、電源スイッチがＯＮされたか否かの判断が繰り返される。電源スイッチは、ハードウエアスイッチであってもソフトウエアにより動作されるスイッチであってもよい。
【００４３】
ステップＳ７００では、情報入力部７５から、実行する運動リストを管理サーバ５０へ要求する指示がされたか否かが判断される。ステップＳ７００において、インストラクター２００により操作される情報入力部７５から、複数の参加者３００のユーザＩＤと、要求する運動リストの運動リストＩＤとを示す情報が入力されたとき、運動リストを要求する指示がされたと判断される。運動リストを要求する指示がされたと判断されないと（ステップＳ７００：ＮＯ）、ステップＳ７００の処理が繰り返し実行される。運動リストを要求する指示がされたと判断されると（ステップＳ７００：ＹＥＳ）、ステップＳ７０２の処理が実行される。
【００４４】
ステップＳ７０２では、ステップＳ７００において、情報入力部７５から入力された複数のユーザＩＤと、運動リストＩＤとが、管理サーバ５０へ送信される。ステップＳ７０２では、複数のユーザＩＤと運動リストＩＤとが、管理サーバ５０へ送信されることにより、ユーザＩＤに示される複数の参加者３００について、運動リストＩＤが示す運動リストを要求する指示が行われる。
【００４５】
ステップＳ７０４では、ステップＳ７０２において要求された運動リストＩＤの運動リストについて、複数のユーザＩＤがそれぞれ対応付けられた複数の運動リストが、管理サーバ５０から受信され、ＲＡＭ７０３の運動リスト記憶領域７０３１に記憶される。
【００４６】
ステップＳ７０５では、計時部７０７の計時が開始される。
【００４７】
ステップＳ７０６では、ステップＳ７０４により受信された運動リストのモーション番号に従って、表示される運動画像のモーション番号と、画像開始時間とが特定される。例えば、最初にステップＳ７０６の処理が行われるときは、図３Ａに示すモーション番号「１−１」と、画像開始時間「０′００″」とが特定される。具体的には、ＲＡＭ７０３の運動リスト記憶領域７０３１に記憶された運動リストの最初のモーション番号「１−１」と、画像開始時間「０′００″」とが読み出される。
【００４８】
ステップＳ７０７では、ステップＳ７０５において計時が開始された計時部７０７の計時時間が、ステップＳ７０６において特定されたモーション番号の運動画像の画像開始時間になったか否かが判断される。計時時間が、特定された運動画像の画像開始時間になったと判断されると（ステップＳ７０７：ＹＥＳ）、ステップＳ７０８の処理が実行される。計時時間が、特定された運動画像の画像開始時間になったと判断されないとき（ステップＳ７０７：ＮＯ）、ステップＳ７０７の処理が繰り返される。
【００４９】
ステップＳ７０８では、受信された運動リストに従って、ステップＳ７０６において特定されたモーション番号の運動画像がディスプレイ７３に表示されるように指示が行われる。ディスプレイ７３に表示される運動画像が、特定されたモーション番号の運動画像に切り替えられる。
【００５０】
ステップＳ７０９では、運動レッスンに参加する複数の参加者３００の運動リストについて、ステップＳ７０６において特定されたモーション番号の運動画像と、モーション番号の運動動作についての複数の参加者３００の評価とが、情報入力部７５に一覧表示されるように指示がされる。
【００５１】
ステップＳ７１０では、ステップＳ７０４において受信された運動リストのモーション番号の運動画像がすべて再生されることで、運動リストが完了されたか否かが判断される。運動リストが完了されたと判断されると（ステップＳ７１０：ＹＥＳ）、ステップＳ７１１の処理が行われる。運動リストが完了されたと判断されないと（ステップＳ７１０：ＮＯ）、ステップＳ７０６の処理が実行される。例えば、直前のステップＳ７０８において、モーション番号「１−１」の運動画像がディスプレイ７３に表示され、ステップＳ７１０において、運動リストが完了されたと判断されないとき（ステップＳ７１０：ＮＯ）、ステップＳ７０６の処理において、モーション番号「１−２」と、画像開始時間「０′２０″」とが特定される。
【００５２】
ステップＳ７１１では、ステップＳ７１０において運動リストが完了したと判断されたときに、複数の参加者３００についての運動リストの最初のモーション番号の評価が、情報入力部７５に表示されるように指示がされる。
【００５３】
ステップＳ７１２では、運動レッスンの終了指示が、情報入力部７５により行われたか否かが判断される。運動レッスンの終了指示がされたと判断されると（ステップＳ７１２：ＹＥＳ）、運動指導装置７０による主制御処理が終了される。運動レッスンの終了指示がされたと判断されないと（ステップＳ７１２：ＮＯ）、ステップＳ７００の処理が繰り返し実行される。
【００５４】
［情報入力部７５の動作］
続いて、図５を用いて、運動指導装置７０が動作するときの情報入力部７５の動作および作用を説明する。図５は、情報入力部７５により実行される副制御処理を示すフローチャートである。情報入力部７５では、図５に示すステップＳ７５０〜ステップＳ７７４の処理が行われる。なお、情報入力部７５は、運動指導装置７０の電源がＯＮであるとき、且つ、情報入力部７５の電源がＯＮであるとき作動する。
【００５５】
情報入力部７５が電源に接続されている間に、電源スイッチがインストラクター２００によりＯＮされたか否かが判断される。電源スイッチがＯＮされたと判断され、且つ、運動指導装置７０と通信可能であるとき、図５に示す副制御処理が実行される。電源スイッチは、ハードウエアスイッチであってもソフトウエアにより動作されるスイッチであってもよい。
【００５６】
ステップＳ７５０では、インストラクター２００が情報入力部７５に指示を入力することにより、運動リストを要求する指示が行われる。具体的には、インストラクター２００により、運動レッスンを行うための運動リストを示す運動リストＩＤと、運動レッスンを行う複数の参加者３００のユーザＩＤとが、運動リストの要求指示として情報入力部７５に入力される。ステップＳ７５０では、情報入力部７５に入力された運動リストＩＤと、複数のユーザＩＤとを、運動指導装置７０を介して管理サーバ５０へ送信することにより、運動指導装置７０を利用して実行される運動レッスンの運動リストと、その運動レッスンに参加する複数の参加者３００が、過去に、運動リストの各運動動作を行ったときの評価とを取得するための要求が行われる。
【００５７】
ステップＳ７５０において、複数のユーザＩＤにより、複数の参加者３００の運動リストの評価が要求されると、管理サーバ５０に記憶されている複数のユーザＩＤに対応する複数の運動リストが、運動指導装置７０のＲＡＭ７０３の運動リスト記憶領域７０３１に記憶されるとともに、運動指導装置７０を介して、情報入力部７５に送信される。情報入力部７５は、運動指導装置７０から複数のユーザＩＤの運動リストを取得し、ＲＡＭ７５３の運動リスト記憶領域７５３１に記憶する。
【００５８】
ステップＳ７５２では、主制御処理のステップＳ７０９の処理において行われる指示、すなわち、特定されたモーション番号の運動画像と、モーション番号の運動動作についての複数の参加者３００の評価とを一覧表示する指示が、受信される。例えば、運動指導装置７０から、モーション番号「１−１」の運動画像と、モーション番号「１−１」の運動動作について、運動レッスンに参加する複数の参加者３００の評価とを一覧表示する指示が受信される。情報入力部７５においてステップＳ７５２の処理が行われるとき、運動指導装置７０では、ステップＳ７０６の処理により特定されたモーション番号の運動画像が、ディスプレイ７３に表示されている。情報入力部７５では、ステップＳ７５２において、ディスプレイ７３に表示される運動画像と合わせて、運動指導装置７０からの指示に従って特定されたモーション番号の運動動作について、複数の参加者３００の評価を一覧表示する処理が行われる。
【００５９】
情報入力部７５の表示入力検知部７５７は、表示領域のうち、上端部から所定範囲の領域が、運動動作表示領域と定められている。情報入力部７５の表示入力検知部７５７において、運動指導装置７０のディスプレイ７３に表示される運動リストに従う複数の運動動作を示す複数の運動画像が、運動動作表示領域において、横方向に一列に表示される。表示入力検知部７５７は、表示領域のうち、左端部から所定範囲の領域が、参加者表示領域と定められている。情報入力部７５の表示入力検知部７５７において、運動レッスンに参加する複数の参加者３００を特定するユーザＩＤが、参加表示領域において、縦方向に一列に表示される。表示入力検知部７５７は、表示領域のうち、運動動作表示領域と、参加者表示領域とに隣接する領域に、運動動作表示領域に表示された運動画像が示す運動動作について、参加者表示領域に表示された複数の参加者３００の運動リストの評価結果が表示される。このようにして、情報入力部７５の表示入力検知部７５７には、複数の参加者３００のユーザＩＤと、運動画像が表示された運動動作について、ユーザＩＤが示す参加者３００の運動リストの評価結果とが一覧に表示される。
【００６０】
ステップＳ７５４では、ステップＳ７５２において複数の参加者３００の評価を一覧表示する指示がされたモーション番号の運動動作について、複数の参加者３００の評価のうち、自己評価が付加されている参加者３００の運動リストがあるか否かが判断される。すなわち、運動指導装置７０のディスプレイ７３に表示される運動画像と対応するモーション番号について、自己評価が付加された参加者３００の運動リストがあるか否かが判断される。自己評価が付加されている参加者３００の運動リストがあると判断されたとき（ステップＳ７５４：ＹＥＳ）、ステップＳ７５６の処理が実行される。自己評価が付加された参加者３００の運動リストがあると判断されないとき（ステップＳ７５４：ＮＯ）、ステップＳ７５８の処理が実行される。
【００６１】
ステップ７５６では、運動指導装置７０のディスプレイ７３に表示される運動画像に対応するモーション番号の運動動作について、自己評価が入力されている参加者３００の運動リストを優先する設定がされる。優先する設定とは、複数の参加者３００の運動リストが情報入力部７５の表示入力検知部７５７の表示画面に表示されるときに、自己評価が入力されている参加者３００の運動リストの評価の表示位置が、自己評価が入力されていない参加者３００の運動リストの評価の表示位置よりも、表示画面において、運動動作が表示された領域に近い位置に表示されるように表示態様を変更する設定である。
【００６２】
ステップＳ７５８では、複数の参加者３００の運動リストが、情報入力部７５の表示入力検知部７５７に一覧で表示される。ステップＳ７５６において、運動画像が表示されるモーション番号の運動動作について、自己評価が入力されている参加者３００の運動リストを優先する設定がされているとき、例えば図７Ｂに示すように、自己評価が入力されている参加者３００の運動リストの表示位置を上位にして、複数の参加者３００の運動リストが一覧で表示される。この結果、インストラクター２００は、一覧表示された内容のうちで、自己評価に容易に注目することができる。
【００６３】
ここで、ステップＳ７５２〜ステップＳ７５８の処理の一例を、図６および図７Ａ〜図７Ｃを用いて説明する。図６は、図３Ａの運動リストに従って、運動レッスンに参加する全参加者であるユーザＡ〜ユーザＥの５名の参加者３００の評価の一覧を示す運動リストであって、ＲＡＭ７５３の運動リスト記憶領域７５３１に記憶された運動リストを示す。図７Ａ、図７Ｂ、および図７Ｃは、ステップＳ７５８において、運動リスト記憶領域７５３１に記憶された運動リストと、運動指導装置７０から受信する運動動作を示すモーション番号とに従って、表示入力検知部７５７に、複数の参加者３００のユーザＩＤと、ディスプレイ７３に運動画像が表示された運動動作について、ユーザＩＤが示す参加者３００の運動リストの評価結果とが一覧表示される表示例を示す図である。評価が付加された運動リストには、ユーザＡまたはユーザＢのように、総合評価のみが記憶されていてもよい。ユーザＣまたはユーザＤのように、運動評価、自己評価、総合評価のすべてが記憶されていてもよい。また、ユーザＥのように、自己評価と、総合評価とが記憶されていてもよい。
【００６４】
図６に示すように評価が付与された運動リストに従って、運動レッスンが行われる場合を説明する。例えば、運動指導装置７０のステップＳ７０６において実行する運動動作のモーション番号が「１−１」と特定され、ステップＳ７０９において、複数の参加者３００についてモーション番号「１−１」の評価を一覧表示する指示がされたとき、情報入力部７５では、ステップＳ７５２の処理において、モーション番号「１−１」が受信される。このとき、図６に示す運動リストには、モーション番号「１−１」の運動動作について、自己評価が付加されている参加者３００はいないので、ステップＳ７５４では、自己評価が付加されている参加者３００の自己評価が有る運動リストがあると判断されず（ステップＳ７５４：ＮＯ）、ステップＳ７５８では、図７Ａに示すように、ユーザのアルファベット昇順に、ユーザＡ、ユーザＢ、…、ユーザＥの表示順序で運動リストの評価が、情報入力部７５の表示入力検知部７５７に表示される。運動リストの評価は、例えば、各参加者３００の自己評価と、総合評価とが、情報入力部７５の表示入力検知部７５７に表示される。
【００６５】
例えば、運動指導装置７０のステップＳ７０６において実行する運動動作のモーション番号が「２−２」と特定され、ステップＳ７０９において、複数の参加者３００についてモーション番号「２−２」の評価を一覧表示する指示がされたとき、情報入力部７５では、ステップＳ７５２の処理において、モーション番号「２−２」が受信される。このとき、図６に示す運動リストには、モーション番号「２−２」の運動動作について、自己評価が付加されている参加者３００にユーザＣが存在する。よって、ステップＳ７５４では、自己評価が付加されている参加者３００の運動リストがあると判断され（ステップＳ７５４：ＹＥＳ）、ステップＳ７５６の処理が行われる。ステップＳ７５６では、ユーザＡ〜ユーザＥの運動リストの評価のうち、ユーザＣの評価が上位に優先表示される並べ替えが行われる。ステップＳ７５８では、ステップＳ７５６において並べ替えられた処理に従って、運動リストの評価が、ユーザＣが最上位に表示される順序で、情報入力部７５の表示入力検知部７５７に表示される。情報入力部７５の表示入力検知部７５７に表示される運動リストの評価は、例えば、自己評価が付加された参加者３００であるユーザＣについて、運動評価と、自己評価と、総合評価とが表示され、自己評価が付加されていない参加者３００については、少なくとも総合評価が表示される表示内容であってもよい。
【００６６】
例えば、運動指導装置７０のステップＳ７０６において実行する運動動作のモーション番号が「３−２」と特定され、ステップＳ７０９において、複数の参加者３００についてモーション番号「３−２」の評価を一覧表示する指示がされたとき、情報入力部７５では、ステップＳ７５２の処理において、モーション番号「３−２」が受信される。このとき、図６に示す運動リストには、モーション番号「３−２」の運動動作について、自己評価が付加されている参加者３００にユーザＡおよびユーザＢが存在する。よって、ステップＳ７５４では、自己評価が付加されている参加者３００の運動リストがあると判断され（ステップＳ７５４：ＹＥＳ）、ステップＳ７５６の処理が行われる。ステップＳ７５６では、ユーザＡ〜ユーザＥの運動リストの評価のうち、ユーザＡ、ユーザＢの評価が上位に優先表示される並べ替えが行われる。ステップＳ７５８では、ステップＳ７５６において並べ替えられた処理に従って、運動リストの評価が、ユーザＡ、ユーザＢが上位に表示される順序で、情報入力部７５の表示入力検知部７５７に表示される。
【００６７】
このように、情報入力部７５の表示入力検知部７５７に表示される参加者３００の評価結果は、運動指導装置７０により実行される運動リストに従う運動レッスンの進行に伴って、ディスプレイ７３に表示される運動画像が切り換えられると、ディスプレイ７３に運動画像が表示される運動動作の評価結果が、ユーザＩＤが表示される参加者表示領域に最も近い位置に移動される。
【００６８】
また、情報入力部７５の表示入力検知部７５７に表示される運動リストの評価は、運動指導装置７０において運動画像が表示されるモーション番号の運動動作について、参加者３００ごとに少なくとも自己評価が付加されているか否かが識別可能に表示されていればよい。本実施形態では、運動リストにおいて、自己評価が付加されている運動動作については、評価記号「○」、または「△」を、黒塗り記号として総合評価を表示することにより、自己評価が付加されているか否かを識別可能とする。情報入力部７５の表示入力検知部７５７には、参加者３００ごとに総合評価が表示されることにより、インストラクター２００は、情報入力部７５の表示入力検知部７５７に表示される総合評価の黒塗り記号または白塗り記号を見て、自己評価が付加されているか否かを判断することが可能である。      
【００６９】
ステップＳ７６０では、インストラクター２００により情報入力部７５に割り込み操作がされたか否かが判断される。割り込み操作とは、ステップＳ７６０の処理が実行されるときに、運動が実行されている運動リストについて、情報入力部７５の表示入力検知部７５７に表示されている運動画像とは異なる運動画像に表示変更を指示する操作である。割り込み操作がされたと判断されると（ステップＳ７６０：ＹＥＳ）、ステップＳ７６２の処理が行われる。割り込み操作がされたと判断されないと（ステップＳ７６０：ＮＯ）、ステップＳ７６６の処理が行われる。
【００７０】
ステップＳ７６２では、ステップＳ７６０における割り込み操作により表示変更指示がされたときに、情報入力部７５の表示入力検知部７５７に表示される運動リストの評価と対応する運動動作を変更させる。具体的には、直前のステップＳ７５２の処理において受信されたモーション番号の運動動作より前に実行された運動動作であって、受信したモーション番号の運動動作から所定範囲だけ前に実行された運動動作の評価が表示される。所定範囲とは、例えば、ステップＳ７５２において受信されたモーション番号の運動動作より前に実行された運動動作であって、受信されたモーション番号の運動動作の運動と同じ種類の運動の運動動作により構成されている範囲の運動動作、または、受信されたモーション番号の運動動作の一つ前に実行された運動の種類の運動動作について、複数の参加者３００の評価が表示される。ステップＳ７６２が行われると、続いてステップＳ７６４の処理が行われる。
【００７１】
図８は、ステップＳ７６２の処理が行われたとき、情報入力部７５の表示入力検知部７５７に一覧表示される運動動作と、運動動作に対応する複数の参加者３００の評価との表示例を示す図である。例えば、ステップＳ７５２において、モーション番号「３−２」の運動動作について、複数の参加者３００の評価を、情報入力部７５の表示入力検知部７５７に一覧表示する指示が受信されたときに、ステップＳ７６０において、割り込み操作がされたと判断されると、ステップＳ７６２では、図８に示すように、モーション番号「３−２」と運動の種類が同じエクササイズ名「壮美のポーズ」の運動動作であるモーション番号「３−１」について、参加者３００の評価が、情報入力部７５の表示入力検知部７５７に表示される。また、例えば、ステップＳ７５２において、モーション番号「３−１」の運動動作について、複数の参加者３００の評価を、情報入力部７５の表示入力検知部７５７に一覧表示する指示が受信されたときに、ステップＳ７６０において、割り込み操作がされたと判断されたときは、ステップＳ７６２では、モーション番号「３−１」の運動動作の１つ前に行われていた運動動作の種類のエクササイズ名「小鳩のポーズ」の運動動作であるモーション番号「２−１」、「２−２」、または「２−３」について、参加者３００の評価が、情報入力部７５の表示入力検知部７５７に表示されてもよい。
【００７２】
ステップＳ７６４、およびステップＳ７６６では、情報入力部７５の表示入力検知部７５７に表示された運動リストに対して、指導評価が入力されたか否かが判断される。指導評価は、情報入力部７５を使用するインストラクター２００により入力される。指導評価が入力されたと判断されたとき（ステップＳ７６４、Ｓ７６６：ＹＥＳ）、ステップＳ７６８の処理が行われる。指導評価が入力されたと判断されないとき（ステップＳ７６４、Ｓ７６６：ＹＥＳ）、ステップＳ７７０の処理が行われる。
【００７３】
ステップＳ７６８では、ステップＳ７６４またはステップＳ７５１６の処理において、指導評価が入力されたと判断されたとき、情報入力部７５の表示入力検知部７５７に、指導評価が付加された運動リストが表示される。また、指導評価が付加された運動リストが、ＲＡＭ７５３の運動リスト記憶領域７５３１に記憶される。例えば、参加者３００が個人で運動レッスンを行ったときに運動記録装置１０により評価された運動評価を変更する指示が、インストラクター２００により情報入力部７５に入力されたとき、指導評価が入力されたと判断される。インストラクター２００による入力に従って、運動評価を変更することにより、指導評価が付加された運動リストとして、ＲＡＭ７５３の運動リスト記憶領域７５３１に記憶させる。図９は、情報入力部７５の表示入力検知部７５７に図８に示す運動動作と、運動動作に対応する複数の参加者３００の評価結果とが表示されているときに、ステップＳ７６８の処理が実行された場合において、表示入力検知部７５７の表示例を示す図である。情報入力部７５の表示入力検知部７５７に、図８に示す運動リストの評価が表示されているときに、インストラクター２００により、モーション番号「３−１」の運動動作について、ユーザＤの運動評価「○」を変更する指示が入力されると、指導評価が入力されたこととして、図９に示すように、運動リストのモーション番号「３−１」の運動動作について、ユーザＤの運動評価が「△」へ変更される。運動評価が変更されることにより、指導評価が入力された運動リストは、ＲＡＭ７５３の運動リスト記憶領域７５３１に記憶される。
【００７４】
ステップＳ７７０では、ステップＳ７１０と同様に、運動リストが完了したか否かが判断される。運動リストが完了したと判断されると（ステップＳ７７０：ＹＥＳ）、ステップＳ７７２の処理が実行される。運動リストが完了したと判断されないと（ステップＳ７７０：ＮＯ）、ステップＳ７５２の処理が実行される。
【００７５】
ステップＳ７７２では、ステップＳ７７０において、完了したと判断された運動リストが、ＲＡＭ７５３の運動リスト記憶領域７５３１から読み出され、管理サーバ５０へ送信される。このとき、ステップＳ７６８において、運動リストに指導評価が入力され、ＲＡＭ７５３の運動リスト記憶領域７５３１に記憶されたときは、指導評価が入力された運動リストが、運動リスト記憶領域７５３１から読み出され、管理サーバ５０へ送信される。
【００７６】
ステップＳ７７４では、運動レッスンの終了指示が入力されたか否かが判断される。運動レッスンの終了指示が入力されたと判断されると（ステップＳ７７４：ＹＥＳ）、情報入力部７５の副制御処理が終了される。運動レッスンの終了指示が入力されたと判断されないとき（ステップＳ７７４：ＮＯ）、ステップＳ７５０の処理が繰り返し実行される。
【００７７】
［本実施形態の表示変形例］
本実施形態において、運動指導装置７０によりステップＳ７０９を含む主制御プログラムが実行され、情報入力部７５によりステップＳ７５２を含む副制御プログラムが実行される。ステップＳ７０９において一覧表示の指示が運動指導装置７０から送信され、ステップＳ７５２において一覧表示の指示が情報入力部７５により受信されることにより、ディスプレイ７３に運動画像が表示されることと、表示された運動画像について情報入力部７５の表示入力検知部７５７に運動リストの評価が表示されることとの同期制御が行われていたが、同期方法はこれに限らない。例えば、情報入力部７５において、主制御プログラムと、副制御プログラムとが共に実行され、情報入力部７５がディスプレイ７３に表示される運動画像を切り替える指示を運動指導装置７０に送信することにより、ディスプレイ７３に運動画像が表示されることと、表示された運動画像について情報入力部７５に運動リストの評価が表示されることとの同期制御が行われてもよい。
【００７８】
また、本実施形態では、情報入力部７５の表示入力検知部７５７には、運動指導装置７０のディスプレイ７３に表示切替される運動画像に対応する運動動作の評価結果が、運動レッスンに参加する参加者３００のユーザＩＤが表示される参加者表示領域に最も近い位置に表示される。本実施形態では、参加者表示領域に最も近い位置に表示されることで、運動指導装置７０のディスプレイ７３に運動画像が表示切替されることにより、その運動画像の運動動作が実行されていることを、インストラクター２００に識別可能に示している。しかしながら、インストラクター２００に実行されている運動動作を示す方法は、これに限らない。例えば、情報入力部７５の表示入力検知部７５７において、表示される複数の運動動作のうち、実行されている運動動作を示す画像と、運動動作についての参加者３００の評価結果とに、囲み枠等を表示させることにより、識別可能に示してもよい。
【００７９】
また、本実施形態では、情報入力部７５の表示入力検知部７５７には、複数の参加者３００のユーザＩＤと、運動画像が表示された運動動作について、ユーザＩＤが示す参加者３００の運動リストの評価結果とが一覧に表示される。しかしながら、表示入力検知部７５７に一覧に表示される情報は、少なくとも、運動指導装置７０のディスプレイ７３に表示される運動動作について、複数の参加者３００のユーザＩＤなどの参加者３００を識別する情報と、複数の参加者３００の運動動作の評価結果とが含まれていればよい。
【００８０】
また、本実施形態では、運動指導装置７０が、主制御プログラムの処理に従って、計時部７０７による計時を開始する。計時された計時時間が、運動動作の運動画像に対応付けられた画像開始時間になったとき、運動指導装置７０が、情報入力部７５に運動リストに従って運動動作の評価を表示させる指示を行うことにより、ディスプレイ７３に運動画像が表示されることと、表示された運動画像について情報入力部７５に運動リストの評価が表示されることとの同期制御が行われていた。しかしながら、情報入力部７５に計時手段を備えてもよい。この場合、情報入力部７５により計時された計時時間が、運動動作の運動画表示像に対応付けられた画像開始時間になったとき、運動動作の評価を表示する情報入力部７５が、ディスプレイ７３に運動動作に対応する運動画像の表示を指示することにより、同期制御を行うことが可能である。さらに、運動指導装置７０がディスプレイ７３に表示するために記憶する運動画像と、情報入力部７５が表示するために記憶する運動リストの評価とに、画像開始時間を対応付けて記憶させてもよい。これにより、運動指導装置７０の計時部７０７と、情報入力部７５の計時手段とが、ともに画像開始時間を計時したときに、ディスプレイ７３に表示される運動画像と、情報入力部７５の表示入力検知部７５７に表示される運動リストの評価とを、表示することにより、同期制御が行われてもよい。
【００８１】
また、同期制御は、ディスプレイ７３に運動画像が表示されることと、表示された運動画像について情報入力部７５に運動リストの評価が表示されることとが、必ずしも同時に行われる場合に限らない。ディスプレイ７０に運動画像が表示される時期に対応して、情報入力部７５に運動画像と対応する運動動作の評価が表示される時期が定められていてもよい。これにより、ディスプレイ７０に運動画像が表示されることと、情報入力部７５に運動画像と対応する運動動作の評価が表示されることとが、それらの実行時期は異なるが一定の時間関係を有する構成であってもよい。
【００８２】
また、本実施形態において、情報表示部７５は、ディスプレイ７３に表示される運動画像の運動動作について、運動レッスンに参加する複数の参加者３００のうち、自己評価が付加されている参加者３００の運動リストの評価の表示順序を、上位に表示させることにより、自己評価が付加されている参加者３００の運動リストを優先させる設定としていたが、優先させる設定は表示順序に限らない。例えば、自己評価が付加されている参加者３００の運動リストを、他の参加者３００の表示リストより、大きく表示させることにより、優先させる設定としてもよい。また、自己評価が付加されている参加者３００の運動リストを、他の参加者３００の表示リストより、詳細に表示させることにより、優先させる設定としてもよい。例えば、自己評価が付加されている参加者３００の運動リストについては、運動評価と、自己評価と、総合評価とを表示させることにより詳細に表示させ、自己評価が付加されていない他の参加者３００の運動リストについては、総合評価のみを表示させることとして、表示態様を区別する構成でもよい。
【００８３】
また、本実施形態では、運動指導装置７０のディスプレイ７３に、運動リストに従って運動動作を示す運動画像が切り換えられて表示されていた。運動動作を示す情報は、運動画像に限らない。例えば、運動動作を示す情報として、運動名や、運動動作を説明する情報が、運動リストに従って切り換えられて表示されてもよい。
【００８４】
また、運動リスト及び運動リストに対応する運動画像の構成は、上述した本実施形態の構成に限らない。運動画像は、１つの運動動作について、対応付けられる運動画像は、１つに限らない。１つの運動動作について、複数方向から見た運動動作の姿勢を示す複数画像が対応付けられていてもよい。また、運動画像は、１つの運動動作について、一連の動きを示す運動映像であってもよい。運動映像は、例えば、２次元（２Ｄ）または３次元（３Ｄ）映像である。この場合、運動リストにおける運動動作に対応する画像開始時間は、各運動映像の再生所要時間を示す情報であってもよい。
【００８５】
また、運動リストに対応付けらえる運動テンポは、インストラクター２００による指示に応じて、テンポを速くするまたは遅くする変更がされてもよい。この場合、運動リストの各運動動作に対応付けられる画像開始時間の間隔、または再生所要時間の長さは、テンポの速さによって、変更される。例えば、運動テンポを速くする変更がされると、画像開始時間の間隔は短くなる。運動テンポを遅くする変更がされると、画像開始時間の間隔は長くなる。画像開始時間は、運動テンポの速さによって、異なる時間が定められ、各運動画像が表示される時間が同期されてもよい。
【００８６】
［本発明における構成と本実施形態との対応］
本実施形態における運動指導装置７０が、本発明の運動支援装置の一例である。本実施形態における運動指導装置７０の主制御プログラム及び運動指導装置７０の情報入力部７５の副制御プログラムが、本発明の運動支援プログラムの一例である。本実施形態における運動指導装置７０のＲＡＭ７０３が、本発明の記憶手段の一例である。本実施形態における運動指導装置７０のＣＰＵ７０１およびネットワーク接続部７０８が、本発明の評価取得手段の一例である。本実施形態における運動指導装置７０のＣＰＵ７０１が、本発明の運動実行手段の一例である。本実施形態における運動指導装置７０の情報入力部７５のＣＰＵ７５１が、本発明の表示制御手段の一例である。本実施形態における運動指導装置７０のＣＰＵ７０１が、本発明の同期制御手段の一例である。
【００８７】
本実施形態における運動指導装置７０の情報入力部７５の表示入力検知部７５７が、本発明の表示部の一例である。本実施形態における運動指導装置７０の情報入力部７５の表示入力検知部７５７が、本発明の評価入力手段の一例である。本実施形態における運動指導装置７０の情報入力部７５のＣＰＵ７５１が、本発明の判断手段の一例である。本実施形態における運動指導装置７０の情報入力部７５のＣＰＵ７５１が、本発明の設定手段の一例である。本実施形態における運動指導装置７０の情報入力部７５のＣＰＵ７５１が、本発明の記憶制御手段の一例である。
【００８８】
本実施形態における運動指導装置７０のＣＰＵ７１により実行されるステップＳ７０４の処理が、本発明の評価取得ステップの一例である。本実施形態における運動指導装置７０のＣＰＵ７１により実行されるステップＳ７０８の処理が、本発明の運動実行ステップの一例である。本実施形態における運動指導装置７０の情報入力部７５のＣＰＵ７５１により実行されるステップＳ７５８の処理が、本発明の表示制御ステップの一例である。本実施形態における運動指導装置７０のＣＰＵ７１により実行されるステップＳ７０９の処理が、本発明の同期制御ステップの一例である。
【００８９】
また、本実施形態における運動リストに定められたモーション番号が、本発明の所定の実行順序の一例である。本実施形態における運動記憶装置１０により評価される運動評価、または自己評価が、本発明の評価結果の一例である。本実施形態における運動リストに対応付けられた運動画像が、本発明の運動動作の内容の一例である。
【符号の説明】
【００９０】
１００  運動支援システム
１０  運動記録装置
１５  情報入力部
１７  撮像部
５０  管理サーバ
７０  運動記録装置
７０１  ＣＰＵ
７０３  ＲＡＭ
７０４  ＲＯＭ
７０６  情報送受信部
７３  ディスプレイ
７５  情報入力部
７５１  ＣＰＵ
７５３  ＲＡＭ
７５４  ＲＯＭ
７５６  情報送受信部
７５７  表示入力検知部
【図１】
0005939223.tif 000002
【図２】
0005939223.tif 000003
【図３Ａ】
0005939223.tif 000004
【図３Ｂ】
0005939223.tif 000005
【図３Ｃ】
0005939223.tif 000006
【図４】
0005939223.tif 000007
【図５】
0005939223.tif 000008
【図６】
0005939223.tif 000009
【図７Ａ】
0005939223.tif 000010
【図７Ｂ】
0005939223.tif 000011
【図７Ｃ】
0005939223.tif 000012
【図８】
0005939223.tif 000013
【図９】
0005939223.tif 000014